(57)【要約】【課題】講演会場や会議場あるいは教室等の集会場での視聴覚機器と照明設備及び音響設備等の会場環境設備機器とを一つのリモコン端末で制御するシステムを提供する。【解決手段】赤外線制御信号を出力するリモコン端末（７）と、赤外線制御信号を受信する受光部（８）と、受光部（８）に接続されているシステム制御器（１０）と、このシステム制御器（１０）からの制御信号で切換操作されるスイッチャー（１１）と、このスイッチャー（１１）に接続されている複数種の視聴覚機器と各視聴覚機器の電源制御器（１２）とを有し、使用する視聴覚機器を選択するとともに、選択された視聴覚機器の操作をリモコン端末で行う。【選択図】    図１
2005005878.tif 000002
【特許請求の範囲】
【請求項１】
赤外線制御信号を出力するリモコン端末（７）と、赤外線制御信号を受信する受光部（８）と、この受光部（８）に接続されているシステム制御器（１０）と、このシステム制御器（１０）からの制御信号で切換操作されるスイッチャー（１１）と、このスイッチャー（１１）に接続されている複数種の視聴覚機器と、各視聴覚機器の電源制御器（１２）とを有し、使用する視聴覚機器を選択するとともに、選択された視聴覚機器の操作をリモコン端末で行うように構成した視聴覚機器の遠隔制御方法。
【請求項２】
視聴覚機器が、プロジェクター（１）、ＯＨＣ（２）、ＤＶＤ（３）、ＶＴＲ（４）、オーディオ機器（５）、パーソナルコンピュータ（６）から選ばれた複数の機器である請求項１に記載した視聴覚機器の遠隔制御方法。
【請求項３】
リモコン端末（７）に、会場照明や会場音響制御用のスイッチボタンが装備してあり、視聴覚機器を操作するリモコン端末で会場環境制御を行えるようにしてある請求項１または２に記載した視聴覚機器の遠隔制御方法。
【発明の詳細な説明】
【０００１】
【発明の属する技術分野】
本発明は、視聴覚機器の制御方法に関し、特に、講演会場や会議場あるいは教室等において使用される多種類の視聴覚装置を集中して遠隔制御する方法に関する。
【０００２】
【従来の技術】
近年、講演会場や会議場あるいは教室等の集会場では、ビデオやＤＶＤ、ＯＨＣ、パーソナルコンピュータあるいはプロジェクター等の複数の画像出力機器を利用して、集会場内のスクリーンやモニター画面に出力機器からの画像データ等を表示できるようにしている。また、このような集会場では当然のことながら、マイクロフォン等の音響設備、照明設備も設置されている。
【０００３】
そして、発表者等はタイミングを見てそれぞれの機器を操作している。ところが、これらの複数の機器類は、それぞれ個別のリモコン端子が用意されており、それぞれ個別に操作されるようになっていることから、これらの機器類をリモコン端末で操作する場合、各機器に対応していることから、その操作が面倒であるという問題があった。
また、画像出力操作時に、照明や音響設備の音量を制御することもあるが、この照明制御や音量制御は通常発表者ではなく、会場技術者が行うことが多く、タイミングのずれなどが起こりやすいという問題があった。
【０００４】
一方、家庭用のＡＶ機器では、複数種の機器を操作できるリモコン端末を使用して複数の部屋から離れた個所に設置したＡＶ機器を制御できるようにした技術が提案されている（特許文献１）。
【０００５】
【特許文献１】
特開平３−５８６９６号公報
【０００６】
【発明が解決しようとする課題】
ところが、先行出願の制御方法は、特定個所に集中設置した家庭用ＡＶ機器を異なる個所で視聴しようとする遠隔制御方法であって、どこか１ヶ所でそのＡＶ機器を操作すると、そのシステムで接続されている全ての個所（部屋）で同じプログラムを視聴することになる。また、このシステムは、家庭用ＡＶ機器を対象とするものであることから、そのリモコン端末には照明設備や音響設備を制御するシステムは組み込まれておらず、この先行出願のシステムを講演会場や会議場あるいは教室等の集会場での視聴覚機器を集中制御するものには応用すること出来なかった。
【０００７】
本発明は、このような点に着目して、講演会場や会議場あるいは教室等の集会場での視聴覚機器と照明設備及び音響設備等の会場環境設備機器とを一つのリモコン端末で制御するシステムを提供することを目的とする。
【０００８】
【課題を解決するための手段】
上述の目的を達成するために請求項１に記載の本発明は、赤外線制御信号を出力するリモコン端末と、赤外線制御信号を受信する受光部と、受光部に接続されているシステム制御器と、このシステム制御器からの制御信号で切換操作されるスイッチャーと、このスイッチャーに接続されているＯＨＣ、ＤＶＤ、ＶＴＲ、オーディオ機器、パーソナルコンピュータ等の視聴覚機器と、各視聴覚機器の電源制御器とを有し、使用する視聴覚機器を選択するとともに、選択された視聴覚機器の操作をリモコン端末で行うことを特徴としている。
【０００９】
【発明の作用】
本発明では、一つのリモコン端末で複数の視聴覚機器を選択・操作することができることから、発表者は発表内容にあわせて視聴覚機器を簡単に操作することができることになる。また、同じリモコン端末に空調機器や照明機器等の会場環境整備機器類の操作スイッチを組み込んだ場合には、視聴覚機器の操作にあわせて会場環境を整備することができることになる。
【００１０】
【発明の実施の形態】
図は本発明を適用したリモコンシステムの概略構成を示すものである。
このシステムは講演会場や会議場あるいは教室等の集会場に装備されるものであって、プロジェクター（１）、ＯＨＣ（２）、ＤＶＤ（３）、ＶＴＲ（４）、オーディオ機器（５）、パーソナルコンピュータ（６）、テレビ、ディスプレー等の視聴覚機器が集会場内あるいは、その集会場に隣接して形成されている機器室内に配置してある。
【００１１】
集会場内に前記視聴覚機器の操作を行う一つのリモコン端末（７）が配置されている。このリモコン端末（７）は赤外線制御信号を出力するようになっており、集会場の天井部にはリモコン端末（７）が出力した赤外線制御信号を受信する赤外線受光部（８）が配置してある。
【００１２】
前述の機器室あるいは集会場内に配設した機器設置部（９）にはシステム制御器（１０）と、このシステム制御器（１０）からの制御信号で切換操作されるスイッチャーとが配置してある。システム制御器（１０）と集会場の天井部に配置した赤外線受光部（７）とは配線接続してあリ、システム制御器（１０）に前記プロジェクター（１）、ＯＨＣ（２）、ＤＶＤ（３）、ＶＴＲ（４）、オーディオ機器（５）、パーソナルコンピュータ（６）等の視聴覚機器がそれぞれ接続してある。そして、前記プロジェクター（１）、ＯＨＣ（２）、ＤＶＤ（３）、ＶＴＲ  （４）、オーディオ等の音響機器（５）、パーソナルコンピュータ（６）等の視聴覚機器の各出力はスイッチャー（１１）に入力されるように構成してあり、システム制御器（１０）からの制御信号に基づき作動制御された視聴覚機器からの出力信号をスイッチャー（１１）を介して出力することにより、集会場内に選ばれた映像が表示されるようになっている。
【００１３】
さらに、システム制御器（１０）は、電源制御器（１２）を介して、前述の視聴覚機器の各電源を制御するとともに、集会室内の音響機器のオーディオ信号と視聴覚機器でのオーディオ信号を入力するミキサー（１４）に制御信号を伝達して集会場内での音量を制御できるようにしてある。また、このシステム制御器（１０）は集会室内に設置したスクリーン（１５）の昇降操作をする制御信号を送信するようにしてある。
【００１４】
上述の構成からなる視聴覚機器制御システムでは、集会場内で発表者がその発表内容の進行にあわせて、任意の視聴覚機器を選択作動させるべくリモコン端末（７）を操作する。リモコン端末（７）から発せられた赤外線信号は集会場の天井に設置されている赤外線受光部（８）で受信されてシステム制御器（１０）に送られる。システム制御器（１０）では、リモコン端末（７）で選択された視聴覚機器を作動させて、その視聴覚機器からの出力信号をスイッチャー（１１）を介して出力し、集会場内に映像が表示されることになる。
【００１５】
なお、このリモコン端末（７）は集会場に設置されている視聴覚機器及び集会場のマイクロフォンシステム等の音響設備ならびスクリーン等の投影設備の操作ボタンを一つのリモコン端末に集中させたものである。
【００１６】
更に、学校や公民館等の複数の集会場（部屋）を設置している施設では、各集会場に設備されている視聴覚機器を統一しておき、かつ各リモコン端末（７）での出力信号を一致させるようにしておくと、特定のリモコン端末（７）をどの集会場（部屋）ででも使用することができるようになり、リモコン端末（７）に互換性を持つことになる。
【００１７】
図２は本発明方法の別の実施形態を示し、リモコン端末（７）で視聴覚機器及び集会場のマイクロフォンシステム等の音響設備（５）ならびスクリーン等の投影設備（１５）を制御するとともに、集会場の照明設備（１６）や空調設備（１７）の制御機能を持たせるようにしたものである。
【００１８】
図中符号（１８）はスイッチャー（１１）からの出力信号を受けて集会場内に画像を表示するプラズマディスプレーである。
【００１９】
【発明の効果】
本発明では、一つのリモコン端末で複数の視聴覚機器を選択・操作することができることから、発表者は発表内容にあわせて視聴覚機器を簡単に操作することができることになる。また、同じリモコン端末に音響機器や照明機器等の会場環境整備機器類の操作スイッチを組み込んだ場合には、視聴覚機器の操作にあわせて会場環境を整備することができることになる。
【図面の簡単な説明】
【図１】本発明方法を適用したリモコンシステムの概略構成図である。
【図２】本発明方法を適用したリモコンシステムの別実施形態を示す概略構成図である。
【符号の説明】
１…プロジェクター、２…ＯＨＣ、３…ＤＶＤ、４…ＶＴＲ、５…オーディオ機器、６…パーソナルコンピュータ、７…リモコン端末、８…赤外線受光部、１０…システム制御器、１１…スイッチャー、１２…電源制御器。
【図１】
2005005878.tif 000003
【図２】
2005005878.tif 000004